(57)【要約】【課題】蓄積時の復号を不要として処理性能の向上を図るとともに、ｎ倍速の能力を必要としないデジタル映像信号記録再生装置を得る。【解決手段】受信した暗号ストリームを構成している各ＴＳパケットが有するＴＳヘッダ内のペイロード・ユニット・スタート・インディケーターの値に基づいて、ピクチャの先頭位置のみの情報を有したインデックスを作成するインデックス作成手段４と、該インデックスに基づいてピクチャの先頭を求め、ピクチャの先頭であるＴＳパケットのペイロード内のピクチャ・タイプ・フィールドを復号して、ピクチャの種別を判定するピクチャ種別判定手段７と、得られたピクチャの種別の情報をインデックスに追加してインデックスを完成させるインデックス完成手段８と、完成されたインデックスに基づいて、再生のためにＩピクチャのペイロードを復号するペイロード復号手段９とを備えている。【選択図】図１
2006332870.tif 000002
【特許請求の範囲】
【請求項１】
非暗号化部分のＴＳヘッダと暗号化部分のペイロードから構成された１以上のＴＳパケットからなる暗号ストリームを受信して、映像信号を記録および再生するためのデジタル映像信号記録再生装置であって、
前記暗号ストリームの記録指示を受け取る記録指示受信手段と、
前記暗号ストリームを受信する受信手段と、
受信した前記暗号ストリームを記憶する暗号ストリーム記憶手段と、
受信した前記暗号ストリームを構成している各前記ＴＳパケットが有するＴＳヘッダ内で当該ＴＳパケットがピクチャの先頭であるか否かを示す情報を記憶しているペイロード・ユニット・スタート・インディケーターの値に基づいて、ピクチャの先頭位置のみの情報を有したインデックスを作成するインデックス作成手段と、
前記インデックスを記憶するインデックス記憶手段と
を備えたことを特徴とするデジタル映像信号記録再生装置。
【請求項２】
前記暗号ストリームの再生指示を受け取る再生指示受信手段と、
前記インデックスに基づいて前記ピクチャの先頭を求め、ピクチャの先頭であるＴＳパケットのペイロード内でピクチャの種別を示す情報を記憶したピクチャ・タイプ・フィールドを復号して、ピクチャの種別を判定するピクチャ種別判定手段と、
前記ピクチャ種別判定手段により得られたピクチャの種別の情報を前記インデックスに追加して前記インデックスを完成させて、前記インデックス記憶手段のインデックスを更新するインデックス完成手段と
完成された前記インデックスに基づいて、Ｉピクチャのペイロードを復号するペイロード復号手段と、
前記ＴＳパケットのタイムスタンプを更新するタイムスタンプ更新手段と、
復号されたＩピクチャのペイロードを用いて、映像信号を再生する映像信号再生手段と
をさらに備えたことを特徴とする請求項１に記載のデジタル映像信号記録再生装置。
【請求項３】
非暗号化部分のＴＳヘッダと暗号化部分のペイロードから構成された１以上のＴＳパケットからなる暗号ストリームを受信して、映像信号を記録および再生するためのデジタル映像信号記録再生プログラムであって、
前記暗号ストリームの記録指示を受け取らせる記録指示受信ステップと、
前記暗号ストリームを受信させる受信ステップと、
受信された前記暗号ストリームを構成している各前記ＴＳパケットが有するＴＳヘッダ内で当該ＴＳパケットがピクチャの先頭であるか否かを示す情報を記憶しているペイロード・ユニット・スタート・インディケーターの値に基づいて、ピクチャの先頭位置のみの情報を有したインデックスを作成させるインデックス作成ステップと、
受信した前記暗号ストリームを記憶させる暗号ストリーム記憶ステップと、
前記インデックスを記憶させるインデックス記憶ステップと
をコンピュータに実行させるためのデジタル映像信号記録再生プログラム。
【請求項４】
前記暗号ストリームの再生指示を受け取らせる再生指示受信ステップと、
前記インデックスに基づいて前記ピクチャの先頭を求め、ピクチャの先頭であるＴＳパケットのペイロード内でピクチャの種別を示す情報を記憶したピクチャ・タイプ・フィールドを復号して、ピクチャの種別を判定させるピクチャ種別判定ステップと、
前記ピクチャ種別判定ステップにより得られたピクチャの種別の情報を前記インデックスに追加して前記インデックスを完成させるインデックス完成ステップと
完成された前記インデックスに基づいて、Ｉピクチャのペイロードを復号させるペイロード復号ステップと、
前記ＴＳパケットのタイムスタンプを更新させるタイムスタンプ更新ステップと、
復号されたＩピクチャのペイロードを用いて、映像信号を再生させる映像信号再生ステップと
をコンピュータに実行させるための請求項３に記載のデジタル映像信号記録再生プログラム。
【請求項５】
非暗号化部分のＴＳヘッダと暗号化部分のペイロードから構成された１以上のＴＳパケットからなる暗号ストリームを受信して、映像信号を記録および再生するためのデジタル映像信号記録再生プログラムを記録したコンピュータ読み取り可能な記録媒体であって、
前記暗号ストリームの記録指示を受け取らせる記録指示受信ステップと、
前記暗号ストリームを受信させる受信ステップと、
受信された前記暗号ストリームを構成している各前記ＴＳパケットが有するＴＳヘッダ内で当該ＴＳパケットがピクチャの先頭であるか否かを示す情報を記憶しているペイロード・ユニット・スタート・インディケーターの値に基づいて、ピクチャの先頭位置のみの情報を有したインデックスを作成させるインデックス作成ステップと、
受信した前記暗号ストリームを記憶させる暗号ストリーム記憶ステップと、
前記インデックスを記憶させるインデックス記憶ステップと
をコンピュータに実行させるためのデジタル映像信号記録再生プログラムを記録したコンピュータ読み取り可能な記録媒体。
【請求項６】
前記暗号ストリームの再生指示を受け取らせる再生指示受信ステップと、
前記インデックスに基づいて前記ピクチャの先頭を求め、ピクチャの先頭であるＴＳパケットのペイロード内でピクチャの種別を示す情報を記憶したピクチャ・タイプ・フィールドを復号して、ピクチャの種別を判定させるピクチャ種別判定ステップと、
前記ピクチャ種別判定ステップにより得られたピクチャの種別の情報を前記インデックスに追加して前記インデックスを完成させるインデックス完成ステップと
完成された前記インデックスに基づいて、Ｉピクチャのペイロードを復号させるペイロード復号ステップと、
前記ＴＳパケットのタイムスタンプを更新させるタイムスタンプ更新ステップと、
復号されたＩピクチャのペイロードを用いて、映像信号を再生させる映像信号再生ステップと
をコンピュータに実行させるためのデジタル映像信号記録再生プログラムを記録した請求項５に記載のコンピュータ読み取り可能な記録媒体。
【発明の詳細な説明】
【技術分野】
【０００１】
この発明はデジタル映像信号記録再生装置、デジタル映像信号記録再生プログラムおよびそのプログラムを記録したコンピュータ読み取り可能な記録媒体に関し、特に、デジタル符号化された映像データを記録媒体に記録および再生するためのデジタル映像信号記録再生装置、デジタル映像信号記録再生プログラムおよびそのプログラムを記録したコンピュータ読み取り可能な記録媒体に関する。
【背景技術】
【０００２】
デジタル放送では、画像圧縮方式としてＭＰＥＧ２（Moving Picture Experts Group Phase 2）を用いている。また、圧縮されたデジタル映像信号の伝送には、多重方式として放送等のリアルタイム伝送に用いられるトランスポートストリーム方式を用いている。当該デジタル映像信号はチューナーにより受信されて再生されるが、チューナーで受信したままの信号では、再生してもスクランブルがかかっていてクリアに画像を表示できないので、受信したトランスポートストリーム（ＴＳ）から圧縮画像データを抽出した後に、ビデオデコーダで復号処理を行う。この復号処理によって得られた映像信号は、ディスプレイに動画として表示される（例えば、特許文献１参照。）。
【０００３】
ＭＰＥＧ２における画像は、Ｉピクチャ（Intra-Picture：フレーム内符号化画像）、Ｐピクチャ（Predictive-Picture：フレーム間順方向予測符号化画像）およびＢピクチャ（Bidirectionally Predictive-Picture：双方向予測符号化画像）の３種類のピクチャによって構成されている。
【０００４】
デジタル映像信号記録再生装置における特殊再生の一つである早送り再生（倍速再生）は、記録媒体からＩピクチャのみを再生することにより、実現している。早送り再生時の再生速度は、出力対象となっているピクチャをｍ（ｍは正の整数）枚毎に間引いて出力することで再生速度を制御している（すなわち、２倍速再生では２枚に１枚のみ再生の割合で間引きし、４倍速再生では４枚に１枚のみ再生の割合で間引きする。）。
【０００５】
従来の倍速再生について、以下に、図を用いて簡単に説明する。通常再生では、Ｉピクチャ、Ｂピクチャ、Ｐピクチャよりストリームが構成される。倍速再生では、図７に示すように、Ｉピクチャ間を間引くことにより再生するフレームが飛ばされ、倍速の表示を実現する。２倍速の場合は、１回ごとにＩピクチャを間引くことになる。
【０００６】
間引きを行った倍速ストリームを復号器で再生するために、アダプテーションフィールドのＰＣＲ（ＰＣＲ：Program Clock Reference）を更新する。なお、ＰＣＲは、プログラムの時刻基準情報である。
また、間引きを行った倍速ストリームを復号器で再生するために、ＰＥＳヘッダ（ＰＥＳ：Packetized Elementary Stream）内のタイムスタンプＰＴＳ（Presentation Time Stamp:再生動作を行う時刻情報）／ＤＴＳ（ＤＴＳ：Decoding Time Stamp：復号動作を行う時刻情報）を更新する。
【０００７】
次に、図８を用いて、トランスポートストリーム（ＴＳ）１００とＰＥＳストリーム１０１との関係について説明する。トランスポートストリーム（ＴＳ）１００は、図８に示すように、複数の１８８バイトのトランスポートパケット（ＴＳパケット）１０３から構成されている。各トランスポートパケット（ＴＳパケット）１０３は、制御ヘッダであるトランスポートヘッダ（ＴＳヘッダ）１０４と映像信号のデータを含むペイロード１０５とから構成されている。このとき、これらの各ペイロード１０５だけを抽出して結合させることにより得られるのがＰＥＳストリーム１０１である。ＰＥＳストリーム１０１は、図８に示すように、複数のＰＥＳパケット１０６から構成される。各ＰＥＳパケット１０６は、ＰＥＳヘッダ１０７とＥＳ（Elementary Stream）データ（映像信号）１０８とから構成されている。なお、ＰＥＳパケット１０６の長さは任意である。
【０００８】
ここで、図８で示したＴＳパケット１０３の構造について図９に基づいて説明する。上述したように、ＴＳパケット１０３は１８８バイトから構成され、トランスポートヘッダ（ＴＳヘッダ）１０４とペイロード１０５の部分を有している。トランスポートヘッダ（ＴＳヘッダ）１０４は、図９に示すように、８ビットの同期バイト（sync byte）と、１ビットのペイロード・ユニット・スタート・インディケーター（payload unit start indicator）と、ペイロード１０５を識別するための１３ビットのＰＩＤ（Packet Identification）と、暗号化の有無を示す２ビットのトランスポート・スクランブリング・コントロール（transport scrambling control）と、２ビットのアダプテーション・フィールド・コントロール（adaptation field control）と、アダプテーション・フィールド（adaptation field）とを有している。なお、ペイロード・ユニット・スタート・インディケーター（payload unit start indicator）が“１”であるペイロード１０５が、ピクチャ（ＰＥＳパケット１０６）の先頭になるペイロードである。
【０００９】
次に、図１０を用いて、図８で示したＰＥＳヘッダ１０７の構造について説明する。ＰＥＳヘッダ１０７は、図１０に示すように、２４ビットのパケット・スタート・コード・プレフィックス（packet start code prefix）と、１６ビットのＰＥＳパケット長（PES packet length）と、８ビットのＰＥＳヘッダ・データ長（PES header data length）と、ＰＥＳヘッダ・データ（PES header data）とを有している。なお、ＰＥＳヘッダ・データ（PES header data）内には、オプション・データ・フィールド（option data field）が設けられ、タイムスタンプＰＴＳ／ＤＴＳのデータが記憶されている。
【００１０】
次に、図１１を用いて、ＴＳパケット１０３とピクチャの構造について説明する。上述したように、ＴＳパケット１０３のペイロード１０５を結合することによってＰＥＳパケット１０６が得られる。ＰＥＳパケット１０６は、ＰＥＳヘッダ１０７とＥＳデータ（映像信号）１０８とから構成されている。ＴＳヘッダ１０４内のペイロード・ユニット・スタート・インディケーター（payload unit start indicator）が“１”であるペイロード１０５が、ＰＥＳパケット１０６の先頭になるペイロードであり、そのときＰＥＳヘッダ１０７が存在する。また、ピクチャ種別毎にＰＥＳパケット１０６は構成される。また、ＰＥＳパケット１０６のデータ部分であるＥＳデータ１０８の先頭部分（あるいはその近傍）にピクチャタイプフィールドが存在し、ピクチャの種別を示す。
【００１１】
次に、暗号ストリームの構造について図１２を用いて示す。暗号ストリーム１０３Ａの構造は、基本的に図９に示したＴＳパケット１０３の構造と同じであるため、詳細な説明は省略する。暗号ストリームにおいては、ＴＳパケット単位で暗号化する。また、暗号化を行うのは、ペイロード１０５の部分のみである。また、ＴＳヘッダ１０４内の２ビットのトランスポート・スクランブリング・コントロール（transport scrambling control）のフラグでＴＳパケット１０３のペイロード１０５に暗号がかかっているか否かの暗号状態を示す。
【００１２】
【特許文献１】特開２００３−１７４６２０号公報
【発明の開示】
【発明が解決しようとする課題】
【００１３】
以上のように、暗号化ストリーム１０３Ａは、ペイロード１０５が暗号化されている。そのため、図１３に示すように、暗号化ストリーム１０３からＰＥＳパケット１０６を生成した場合には、ＥＳデータ１０８の先頭部分（あるいはその近傍）に設けられているピクチャの種別を判別するために設けられているピクチャタイプフィールドが暗号化されているために、蓄積時に暗号を解かないと倍速するためのインデックスが作成できないという問題点があった。
【００１４】
また、倍速再生時に更新を行うＰＣＲは非暗号化部分にあるが、ＰＥＳヘッダ１０７内のタイムスタンプＰＴＳ／ＤＴＳは暗号化されているために、それらを復号する必要があるという問題点があった。
【００１５】
また、インデックスを作成しない処理方式の場合、ｎ倍速を実現するためには、ｎ倍速での読み出し、および、ｎ倍速での暗号復号処理能力が必要となるという問題点があった。
【００１６】
この発明は、かかる問題点を解決するためになされたものであり、蓄積時の復号を不要として処理性能の向上を図るとともに、ｎ倍速の能力を必要としないデジタル映像信号記録再生装置、デジタル映像信号記録再生プログラムおよびそのプログラムを記録したコンピュータ読み取り可能な記録媒体を得ることを目的とする。
【課題を解決するための手段】
【００１７】
この発明は、非暗号化部分のＴＳヘッダと暗号化部分のペイロードから構成された１以上のＴＳパケットからなる暗号ストリームを受信して、映像信号を記録および再生するためのデジタル映像信号記録再生装置であって、前記暗号ストリームの記録指示を受け取る記録指示受信手段と、前記暗号ストリームを受信する受信手段と、受信した前記暗号ストリームを記憶する暗号ストリーム記憶手段と、受信した前記暗号ストリームを構成している各前記ＴＳパケットが有するＴＳヘッダ内で当該ＴＳパケットがピクチャの先頭であるか否かを示す情報を記憶しているペイロード・ユニット・スタート・インディケーターの値に基づいて、ピクチャの先頭位置のみの情報を有したインデックスを作成するインデックス作成手段と、前記インデックスを記憶するインデックス記憶手段とを備えたデジタル映像信号記録再生装置である。
【発明の効果】
【００１８】
この発明は、非暗号化部分のＴＳヘッダと暗号化部分のペイロードから構成された１以上のＴＳパケットからなる暗号ストリームを受信して、映像信号を記録および再生するためのデジタル映像信号記録再生装置であって、前記暗号ストリームの記録指示を受け取る記録指示受信手段と、前記暗号ストリームを受信する受信手段と、受信した前記暗号ストリームを記憶する暗号ストリーム記憶手段と、受信した前記暗号ストリームを構成している各前記ＴＳパケットが有するＴＳヘッダ内で当該ＴＳパケットがピクチャの先頭であるか否かを示す情報を記憶しているペイロード・ユニット・スタート・インディケーターの値に基づいて、ピクチャの先頭位置のみの情報を有したインデックスを作成するインデックス作成手段と、前記インデックスを記憶するインデックス記憶手段とを備えたデジタル映像信号記録再生装置であるので、蓄積時の復号を不要として処理性能の向上を図るとともに、ｎ倍速の能力を必要とせずに再生を行うことができる。
【発明を実施するための最良の形態】
【００１９】
実施の形態１．
図１は、この発明の実施の形態１に係るデジタル映像信号記録再生装置の構成を示した図である。本実施の形態に係るデジタル映像信号記録再生装置は、非暗号化部分のＴＳヘッダと暗号化部分のペイロードから構成された１以上のＴＳパケットからなる暗号ストリームを受信して、映像信号を記録および再生するための装置である。従って、映像信号の蓄積のための構成と映像信号の再生のための構成とを有している。
はじめに、映像信号の蓄積のための構成について説明する。図１に示すように、本実施の形態に係るデジタル映像信号記録再生装置は、映像信号の蓄積時のために、記録指示受信手段１と、受信手段２と、暗号ストリーム記憶手段３と、インデックス作成手段４と、インデックス記憶手段５とを備えている。
記録指示受信手段１は、ユーザにより入力される暗号ストリームの記録指示を受け取るものである。
受信手段２は、記録指示受信手段１が記録指示を受け取ったときに、映像信号を含む暗号ストリームを受信するものである。
暗号ストリーム記憶手段３は、受信手段２が受信した暗号ストリームを記憶するもので、ＨＤＤ（ハードディスク）等から構成される。
インデックス作成手段４は、受信手段２が受信した暗号ストリームを構成している各ＴＳパケットが有するＴＳヘッダ内で当該ＴＳパケットがピクチャの先頭であるか否かを示す情報を記憶しているペイロード・ユニット・スタート・インディケーターの値に基づいて、ピクチャの先頭位置のみの情報を有したインデックスを作成するものである。
インデックス記憶手段５は、作成されたインデックスを記憶するものである。インデックス記憶手段５もＨＤＤ（ハードディスク）等から構成される。
【００２０】
次に、映像信号の再生のための構成について説明する。図１に示すように、本実施の形態に係るデジタル映像信号記録再生装置は、映像信号の再生時のために、再生指示受信手段６と、ピクチャ種別判定手段７と、インデックス完成手段８と、ペイロード復号手段９と、タイムスタンプ更新手段１０と、映像信号再生手段１１とを備えている。
再生指示受信手段６は、ユーザにより入力される暗号ストリームの再生指示を受け取るものである。
ピクチャ種別判定手段７は、再生指示受信手段６が再生指示を受け取ったときに、インデックス作成手段４が作成したインデックスに基づいてピクチャの先頭を求め、ピクチャの先頭であるＴＳパケットのペイロード内でピクチャの種別を示す情報を記憶したピクチャ・タイプ・フィールドを復号して、ピクチャの種別を判定するものである。
インデックス完成手段８は、ピクチャ種別判定手段７により得られたピクチャの種別の情報をインデックス記憶手段５に記憶されているインデックスに追加してインデックスを完成させて、インデックス記憶手段５のインデックスを更新するものである。
ペイロード復号手段９は、完成されたインデックスに基づいて、Ｉピクチャのペイロードを復号するものである。
タイムスタンプ更新手段１０は、ＴＳパケットのタイムスタンプを更新するものである。
映像信号再生手段１１は、復号されたＩピクチャのペイロードを用いて、映像信号を再生するものである。
【００２１】
次に、動作について説明する。本実施の形態におけるデジタル映像信号記録再生装置の動作は、大きく分けて、２つのフェーズから構成される。フェーズ１は、デジタル映像信号の蓄積時である。フェーズ２は、蓄積されたデジタル映像信号の再生時である。
【００２２】
まず、図２および図３を用いて、フェーズ１（蓄積時）の動作について説明する。記録指示受信手段１が受信したユーザからの記録指示信号に基づいて、受信手段２が、多重化されＭＰＥＧ２で圧縮されて送信されてくるトランスポートストリーム（ＴＳ）１００を受信する（ステップＳ１）。このトランスポートストリーム１００は、図１２で示した暗号ストリームである。そのため、各ＴＳパケット１０３Ａのペイロード１０５部分が暗号化されており、ＴＳヘッダ１０４の部分は暗号化されていない。ＴＳヘッダ１０４内には、図１２に示すように、ペイロード・ユニット・スタート・インディケーター（payload unit start indicator）が含まれている。これは、上述したように、値が“１”のときに、それがピクチャの先頭（すなわち、ＰＥＳパケットの先頭）を示すものである。そのため、インデックス作成手段４は、ペイロード・ユニット・スタート・インディケーター（payload unit start indicator）の値が“１”であるＴＳパケット１０３Ａを検出して、ピクチャの先頭位置の蓄積位置２０１とピクチャの種別２０２を有するインデックス２００を作成する（ステップＳ２）。このとき作成されるインデックスは、まだピクチャの種別判定が行われていないので、図４（ａ）に示すようなピクチャの種別２０２が空である枠のみのインデックス２００である。なお、ここで、ＴＳヘッダ１０４は、暗号化されていないため、フェーズ１（蓄積時）においては、暗号を解く必要がなく、インデックス２００を作成することができる。次に、受信したトランスポートストリーム１００を暗号ストリーム記憶手段３に蓄積するとともに、作成したインデックス２００をインデックス記憶手段５に格納する（ステップＳ３，ステップＳ４）。
【００２３】
次に、図５および図６を用いて、フェーズ２（再生時）の動作について説明する。再生指示受信手段６がユーザからの受信指示を受け取ると、ピクチャ種別判定手段７が、図３のステップＳ２で作成したインデックスを基に、ピクチャの先頭を求め、当該インデックスで示される位置のペイロード１０５内のピクチャタイプフィールドまでのみの暗号を解き、ピクチャの種別を判定する（ステップＳ１０）。なお、当該ピクチャタイプフィールドとは、図１１で示したピクチャタイプフィールド１０９である。次に、インデックス完成手段８が、判定されたピクチャの種別２０２（Ｉピクチャ、Ｐピクチャ、Ｂピクチャの別）の情報を、図４（ｂ）に示すように、図４（ａ）に示す枠だけのインデックス２００に追加して、インデックス２００を完成させる（ステップＳ１１）。次に、完成したインデックス２００を基にＩピクチャだけを抽出して、再生するＩピクチャのペイロード１０５をペイロード復号手段９により復号し（ステップＳ１２）、間引きを行った倍速ストリームを復号器で再生するために、暗号を解いた状態でタイムスタンプＰＴＳ／ＤＴＳをタイムスタンプ更新手段１０により更新する（ステップＳ１３）。ＴＳヘッダ１０４内の２ビットのトランスポート・スクランブリング・コントロール（transport scrambling control）のフラグは、非暗号を示すように更新され（ステップＳ１４）、平文ストリームとして、映像信号再生部１１（ＭＰＥＧ２−ＴＳ復号機構）に送り込み、映像再生を行う（ステップＳ１５）。
【００２４】
以上のように、本実施の形態においては、蓄積時にペイロードの暗号を解かないために、処理性能を向上させることができる。また、再生時に更新するＴＳパケットのみ、暗号を解くために、処理能力を低減することができる（ｎ倍速での暗号を解く能力を必要としない）。また、再生時には、インデックスに基づいて、必要なＴＳパケットを読み出すために、能力を低減することができる（全体を通したｎ倍速の能力を必要としない）。また、一度再生を行うとインデックスが完成するために、通常の再生と同程度の処理能力で再生を行うことができるようになる。
【図面の簡単な説明】
【００２５】
【図１】この発明の実施の形態１に係るデジタル映像信号記録再生装置の構成を示したブロック図である。
【図２】この発明の実施の形態１に係るデジタル映像信号記録再生装置の動作を示した説明図である。
【図３】この発明の実施の形態１に係るデジタル映像信号記録再生装置の動作を示した流れ図である。
【図４】この発明の実施の形態１に係るデジタル映像信号記録再生装置におけるインデックスを示した説明図である。
【図５】この発明の実施の形態１に係るデジタル映像信号記録再生装置の動作を示した説明図である。
【図６】この発明の実施の形態１に係るデジタル映像信号記録再生装置の動作を示した流れ図である。
【図７】ソフトウエア倍速の動作を示した説明図である。
【図８】トランスポートストリームとＰＥＳストリームの関係を示した説明図である。
【図９】ＴＳパケットの構造を示した説明図である。
【図１０】ＰＥＳヘッダの構造を示した説明図である。
【図１１】ＴＳパケットとピクチャの構造を示した説明図である。
【図１２】暗号ストリームの構造を示した説明図である。
【図１３】暗号ストリームにおける従来の倍速再生の問題点を示した説明図である。
【符号の説明】
【００２６】
１  記録指示受信手段、２  受信手段、３  暗号ストリーム記憶手段、４  インデックス作成手段、５  インデックス記憶手段、６  再生指示受信手段、７  ピクチャ種別判定手段、８  インデックス完成手段、９  ペイロード復号手段、１０  タイムスタンプ更新手段、１１  映像信号再生手段、１００  トランスポートストリーム、１０１  ＰＥＳストリーム、１０３  ＴＳパケット、１０３Ａ  ＴＳパケット、１０４  ＴＳヘッダ、１０５  ペイロード、１０６  ＰＥＳパケット、１０７  ＰＥＳヘッダ、１０８  ＥＳデータ、１０９  ピクチャタイプフィールド、２００  インデックス、２０１  蓄積位置、２０２  ピクチャの種別。
【図１】
2006332870.tif 000003
【図２】
2006332870.tif 000004
【図３】
2006332870.tif 000005
【図４】
2006332870.tif 000006
【図５】
2006332870.tif 000007
【図６】
2006332870.tif 000008
【図７】
2006332870.tif 000009
【図８】
2006332870.tif 000010
【図９】
2006332870.tif 000011
【図１０】
2006332870.tif 000012
【図１１】
2006332870.tif 000013
【図１２】
2006332870.tif 000014
【図１３】
2006332870.tif 000015